(57)【特許請求の範囲】
【請求項１】
飲料容器に貯留されている飲料を注出する注出ノズル(14)と、この注出ノズル(14)の下方に位置する下部筺体(16)の前面に上下位置調節可能に配設され、前記注出ノズル(14)からの飲料を受ける受容器(18)が載置される受皿(30)と、該受皿(30)に配設され、前記下部筺体(16)の前面部(16a)に当接すると共に、上下方向に延在する一対の長孔(36a,36a)が幅方向に離間して形成された支持部(36)とを有し、前記長孔(36a)を介してボルト(26)を下部筺体(16)に螺着することで、前記受皿(30)が下部筐体(16)に上下位置調節可能に固定される飲料注出装置において、
前記支持部(36)に幅方向に離間して設けられて下部筺体(16)側に略直角に延出し、支持部(36)を下部筺体(16)の前面部(16a)に当接した状態で、下部筺体(16)の両側面部(32a,32a)に当接する一対の案内部(38,38)を備え、
前記両案内部(38,38)を下部筺体(16)の両側面部(32a,32a)に当接した状態で、前記受皿(30)を水平姿勢を維持しつつ上下方向に移動調節し得るよう構成した
ことを特徴とする飲料注出装置の受皿構造。
【発明の詳細な説明】
【０００１】
【発明の属する技術分野】
この発明は、飲料注出装置の受皿構造に関し、更に詳細には、飲料を受ける受容器の高さ寸法に応じて上下方向に位置調節可能な受皿を、簡単に水平に固定し得るようにした飲料注出装置の受皿構造に関するものである。
【０００２】
【従来の技術】
酒等の飲料を状況に応じて冷却または加熱して飲用に供する装置として、飲料注出装置が知られている。この飲料注出装置の一例を挙げれば、酒等の飲料を貯留した飲料容器を収納する断熱庫を備え、その飲料容器から注出機構を介して注出した所要量の飲料を、コップ等の受容器に供給するよう構成されている。
【０００３】
図５に示す飲料注出装置１０は、飲料容器（図示せず）を収納する断熱溝造の断熱庫１２に、注出機構（図示せず）および注出ノズル１４が配設され、飲料容器に貯留されている飲料は、注出機構および注出ノズル１４を介して下方に注出されるよう構成される。また断熱庫１２の下方に設置された下部筐体１６の前面側を形成する前面パネル１６ａには、図６に示す如く、前記注出ノズル１４からの飲料を受ける受容器１８が載置される受皿２０が取付けられている。この受皿２０は、常に水平に保持されて受容器１８が載置される受部２２と、この受部２２の背面側に位置して上方に延在する支持板２４とから構成される。支持板２４には、上下方向に延在する一対の長孔２４ａ，２４ａが幅方向に離間して形成され、各長孔２４ａに外側（前面側）から挿通したボルト２６を、前記前面パネル１６ａに形成された対応するネジ孔１６ｂに螺挿することで、受皿２０が下部筐体１６に位置決め固定されるようになっている。そしてこの受皿２０は、前記長孔２４ａの延在範囲において、下部筐体１６に対する上下方向の位置調節が可能に構成される。
【０００４】
【発明が解決しようとする課題】
前述したように、飲料注出装置１０の受皿２０は高さ位置を調節し得る構造なので、飲料注出装置１０を設置する店により使用する受容器１８の高さ寸法が異なる場合にも対応可能である。すなわち、寸法の高い受容器１８が注出ノズル１４に当接して受皿２０上に載置できなかったり、逆に寸法の短かい受容器１８であり、注出ノズル１４からの離間高さが大きいために飲料が該受容器１８の外部に多量に飛散したり、飲料によっては泡が多量に発生する等の不具合を回避することができる。
【０００５】
しかしながら、前記受皿２０の高さ位置を調節するための一対の長孔２４ａ，２４ａが幅方向に離間し、また各長孔２４ａの内幅寸法はボルト２６の軸部に対して余裕をもって設定されているため、受皿２０の高さ位置を調節するに際し、両長孔２４ａ，２４ａに挿通したボルト２６，２６による固定位置が左右で上下方向にずれてしまうことがある（図６（ｂ）参照）。この場合は、前記受皿２０が水平状態にならず、受容器１８が安定的に載置できなくなり、場合によっては飲料の注出時に該飲料がこぼれる問題を招く。更に、下部筐体１６に対して受皿２０は平板状の支持板２４のみで支持されるので、前記受部２２が下部筐体１６の下端より下方に位置決めされる場合は、受容器１８およびこれに注出される飲料等の重量により不安定となる難点が指摘される。
【０００６】
また受皿２０を水平状態に維持しつつ高さを調節し得る構造として、図７に示す如く、前記長孔２４ａ，２４ａに代えて、複数の固定孔２８を用いる構成が考えられる。この場合には、左右の高さ位置が同一の前記固定孔２８，２８に挿通したボルト２６，２６で受皿２０を固定し得るので、該受皿２０の高さ位置調節により水平姿勢が損なわれることはない。しかし、高さ位置の変更位置が前記固定孔２８の穿設位置により制限されるので、様々な大きさの受容器１８に対応するのは困難である。
【０００７】
【発明の目的】
本発明は、前述した従来の技術に内在している前記欠点に鑑み、これを好適に解決するべく提案されたものであって、受容器の高さ寸法に応じて受皿の高さ位置を簡単に変更し得ると共に、常に該受皿の水平を維持し得る飲料注出装置の受皿構造を提供することを目的とする。
【０００８】
【課題を解決するための手段】
前述した課題を克服し、所期の目的を好適に達成するため本発明に係る飲料注出装置の受皿構造は、
飲料容器に貯留されている飲料を注出する注出ノズルと、この注出ノズルの下方に位置する下部筺体の前面に上下位置調節可能に配設され、前記注出ノズルからの飲料を受ける受容器が載置される受皿と、該受皿に配設され、前記下部筺体の前面部に当接すると共に、上下方向に延在する一対の長孔が幅方向に離間して形成された支持部とを有し、前記長孔を介してボルトを下部筺体に螺着することで、前記受皿が下部筐体に上下位置調節可能に固定される飲料注出装置において、
前記支持部に幅方向に離間して設けられて下部筺体側に略直角に延出し、支持部を下部筺体の前面部に当接した状態で、下部筺体の両側面部に当接する一対の案内部を備え、
前記両案内部を下部筺体の両側面部に当接した状態で、前記受皿を水平姿勢を維持しつつ上下方向に移動調節し得るよう構成したことを特徴とする。
【０００９】
【発明の実施の形態】
次に、本発明に係る飲料注出装置の受皿構造につき、好適な実施例を挙げて、以下説明する。なお、図５〜図７を参照して説明した従来の技術に既出の同一部材については、同じ符号を付して示し、その詳細説明は省略する。
【００１０】
図１に示す如く、飲料注出装置１０の下部を構成する下部筐体１６は、注出ノズル１４側、すなわち前面側の前面パネル（前面部）１６ａに、注出飲料を受ける例えばコップ等の受容器１８を載置する受皿３０が、固定手段であるボルト２６，２６を介して上下方向に位置調節可能に固定される。また前記前面パネル１６ａの所定位置には、前記ボルト２６，２６に対応し、かつ螺着可能なネジ孔１６ｂ，１６ｂが穿設されている。なお、本発明では固定手段としてボルトを使用しているが、殊にこれに限定されるものではなく、例えば蝶ネジ等を利用して工具を使用することなく固定可能な手段を用いてもよい。また、前記下部筐体１６の幅方向両側を構成する一対の側面パネル３２，３２には、その前側に幅狭となる段部（側面部）３２ａ，３２ａが形成され、この段部３２ａ，３２ａに案内されて受皿３０が上下方向に移動するよう構成される。
【００１１】
前記受皿３０は、図２に示す如く、前方（図では左側）に延出すると共に、受容器１８を載置する受部３４と、該受部３４の前面パネル１６ａ側に形成されて上方に延在し、該受部３４を前記前面パネル１６ａに対して支持する支持部３６とから構成される。この支持部３６には、前面パネル１６ａのネジ孔１６ｂ，１６ｂに対応する寸法で幅方向に離間して、上下方向に所定長さで延在する一対の長孔３６ａ，３６ａが形成されている。各長孔３６ａは、ボルト２６の軸部が挿通可能な寸法に設定され、該長孔３６ａに前側面から挿通されて対応するネジ孔１６ｂに螺挿されているボルト２６，２６を緩めた状態にすることで、該長孔３６ａの許容する範囲で受皿３０の上下方向への移動、すなわち高さ位置の調節が可能に構成されている。
【００１２】
前記支持部３６の幅方向両側端部には、図３に示す如く、前面パネル１６ａ側に略直角に屈曲される案内部としての屈曲部３８，３８が形成されており、支持部３６と両屈曲部３８，３８とが平面において略コ字形を呈するようになっている。支持部３６の幅寸法は、前面パネル１６ａの幅寸法と略同一に設定され、該支持部３６を前面パネル１６ａに当接した状態で、両屈曲部３８，３８が、前記側面パネル３２，３２の段部３２ａ，３２ａに当接するよう構成される。すなわち、前記受皿３０を高さ調節する際には、前面パネル１６ａを挟む両側の段部３２ａ，３２ａに両屈曲部３８，３８が当接することで、該受皿３０の左右両端が上下方向に傾くのを防止するようになっている。なお、屈曲部３８の厚み寸法は、前記段部３２ａの幅寸法と略同一に設定され、下部筐体１６に受皿３０を固定した際に、屈曲部３８が側面パネル３２から外方に突出しないよう構成してある（図１参照）。ここで、前記屈曲部３８の長さは殊に限定されるものではなく、受皿３０の高さ位置調節に際して、該受皿３０の受部３４を水平姿勢に維持したまま移動可能とするものであればよい。
【００１３】
【実施例の作用】
次に、前述した実施例に係る飲料注出装置の受皿構造の作用につき説明する。前記受容器１８の高さが低く、前記下部筐体１６に位置決め固定した受皿３０の高さ位置が通常のままでは、該受容器１８と注出ノズル１４とが離間し過ぎていて飲料が飛散するおそれがある場合には、図４（ａ）に示す如く、受皿３０の高さ位置を任意の上方位置に変更調節する。すなわち、一対のボルト２６，２６を緩めた状態で、受皿３０を一対の長孔３６ａ，３６ａを案内として下部筐体１６に対して上方に移動させる。この場合において、前記支持部３６に形成された両屈曲部３８，３８が、下部筐体１６の前面パネル１６ａを挟んで対応する段部３２ａ，３２ａに両側から当接しているので、当該受皿３０の左右両端が上下方向に傾くことはなく、前記受部３４は水平姿勢を維持した状態で調節される。そして、任意の位置でボルト２６，２６を締付ければ、当該受皿３０は、受容器１８が載置される受部３４が水平に保持されたまま位置決め固定される。
【００１４】
また前記受容器１８の高さが高く、受皿３０の高さ位置が通常のままでは、該受容器１８と注出ノズル１４とが干渉して受容器１８を受皿３０の受部３４に載置し得ない場合には、図４（ｂ）に示す如く、受皿３０の高さ位置を任意の下方位置に変更調節する。この場合も、前記支持部３６に形成された両屈曲部３８，３８と下部筐体１６の段部３２，３２とが当接状態で位置調節されるので、当該受皿３０は受部３４を水平姿勢に維持しつつ位置決め可能である。
【００１５】
なお、前記受皿６４の受部３４を、前記前面パネル１６ａの下端より更に下方に位置決めする必要がある場合においては、前記支持部３６に屈曲形成された両屈曲部３８，３８が、上下方向に加わる負荷に対する補強部材としても機能する。すなわち、受皿６４、受容器２８および注出された飲料の重量により、前記支持部３６が撓んだりせず、常に安定した状態で受容器２８を支持することができる。
【００１６】
【変更例】
なお、実施例では支持部に案内部としての両屈曲部を一体に屈曲形成したが、支持部と案内部とを別部材で構成し、両者を溶接やネジ等により接合したものであってもよい。また案内部は支持部の上下方向の全長に亘って延在していなくてもよく、下部筐体の側面部（段部）に当接する左右両側の案内部で受皿の傾きを防止するものであれば、支持部の上下に離間して複数の案内部が存在している構成も採用可能である。更に、下部筐体の側面パネルに段部を形成することなく、案内部を直接側面パネルに当接するようにしてもよい。
【００１７】
【発明の効果】
以上に説明した如く、本発明に係る飲料注出装置の受皿構造によれば、支持部の幅方向両側端に設けた一対の案内部を、下部筐体を構成する両側面部に当接するよう構成したので、前記案内部が受皿の高さ位置調節時に案内部材として機能して容易に高さ位置を変更し得る。また、前記案内部により支持部の両側位置を規制し得るので、前記受皿が常に水平に維持され、受容器を安定して載置することができる。
【００１８】
更に、前記案内部が支持部の補強部材としても機能するので、前記受皿を、その下端が下部筐体下端より下方に臨む位置に位置決めされる場合であっても、当該受皿は強度的に安定した状態で下部筐体に固定される。また支持部の肉厚を薄くし得るので、受皿の重量を低減し得ると共に製造コストを低廉とし得る。
【図面の簡単な説明】
【図１】本発明の実施例に係る受皿構造を採用した飲料注出装置の要部正面図である。
【図２】実施例に係る飲料注出装置を一部切欠いて示す要部側面図である。
【図３】実施例に係る受皿の下部筐体への取付状態を示す分解斜視図である。
【図４】実施例に係る受皿の高さ位置を変更した状態を一部切欠いて示す要部側面図である。
【図５】従来の技術に係る受皿構造を採用した飲料注出装置の側面図である。
【図６】従来の技術に係る受皿構造を示す正面図である。
【図７】従来の技術に係る別の受皿構造を示す正面図である。
【符号の説明】
１４  注出ノズル，１６  下部筐体，１６ａ  前面パネル（前面部）
１８  受容器，２６  ボルト，３０  受皿，３２ａ  段部（側面部）
３６  支持部，３６ａ  長孔，３８  屈曲部（案内部）
【図１】
0003553804.tif 000002
【図２】
0003553804.tif 000003
【図３】
0003553804.tif 000004
【図４】
0003553804.tif 000005
【図５】
0003553804.tif 000006
【図６】
0003553804.tif 000007
【図７】
0003553804.tif 000008